(57)【要約】  【課題】  既存の施錠手段よる施錠と連動して、確実な施錠の補完が行え、更に警報用ブザーの電源電池のチェックが簡単に行えること。  【解決手段】  外戸１の下辺に固設したストッパ片６と、内戸２の中央側側辺下部に、外戸１寄り上部の軸４ａで偏心回動可能に配した回動ロック片４であって、軸４ａより内側に加わる下降操作力でその下端をストッパ片６の端部に係止し、軸４ａより内側に加わる上昇操作力でその係止を解除すべく回動する回動ロック片４と、既設の回動施錠片３の施錠動作に連動して回動ロック片４をストッパ片６に係止させ、回動施錠片３の解錠動作に連動して上昇復帰し、回動ロック片４の係止解除動作を許容させる連携手段５と、回動ロック片４に付設した係止解除操作用のレバー４ｄと、回動施錠片３の解錠動作に連動してブザーの電源回路を閉じる異常検出スイッチ９とで構成する。【選択図】  図３
0003111321.tif 000002
【実用新案登録請求の範囲】
【請求項１】
家屋開口部の開閉手段である外戸と内戸の内、外戸の枠の中央側側辺に配した固定片と内戸の枠の中央側側辺に回動自在に配した回動施錠片とからなる引戸施錠手段による施錠を補完する引戸施錠補完装置であって、
前記外戸の枠の内側下辺に固設するストッパ片と、
前記内戸の枠の中央側側辺の端面下部に、その外戸寄り上部に配した軸を中心として、偏心回動可能に設置する回動ロック片であって、該軸より内側の部位に加えられた下降操作力によって、その下端を、前記ストッパ片の端部に、前記外戸の開側への移動が不可能なように、係止させ、又は該軸より内側の部位に加えられた上昇操作力によって、その係止を解除させるべく、その回動状態を操作し得る回動ロック片と、
前記回動施錠片の施錠動作に連動して前記回動ロック片を前記ストッパ片に係止させるべく、該回動ロック片の前記軸より内側上部を下降操作し、該回動施錠片の解錠動作に連動して上昇復帰し、該ストッパ片の係止状態を維持している該回動ロック片の係止解除操作を可能にする連携手段と、
前記回動ロック片に付設した係止解除操作のための操作レバーと、
警報用のブザーと、
前記回動施錠片の解錠動作に連動して前記ブザーを駆動する電源回路を閉じるべく動作するように構成した異常検出スイッチと、
で構成した引戸施錠補完装置。
【請求項２】
前記回動ロック片を、前記軸を介してブラケット部材に回動自在に取り付け、かつ該ブラケット部材を介して前記内戸の枠の中央側側辺の端面下部に固設し、更に該回動ロック片の両側には該ブラケット部材の各対応する側の面との間に該軸に外装状態のＯリングを介在させた請求項１の引戸施錠補完装置。
【請求項３】
前記連携手段を、
前記回動施錠片の施錠動作によって押し下げられる連携棒であって、長さ調節可能に構成した連携棒と、
該連携棒を昇降自在に前記内戸の中央側側辺の端面に配置するガイド筒材と、
該連携棒の下端に配した取付片と、
該取付片の下端から、前記回動ロック片の前記軸より内側寄りの上端に向けて、該部位を下降操作させるべく垂下させた操作棒と、
該取付片の下端から後記復帰バネ上に垂下させたスイッチ操作棒であって、前記回動施錠片の解錠動作によって上昇動作が許容された場合に、該復帰バネの作用力を受けて上昇復帰するための復帰棒を兼ねたスイッチ操作棒と、
前記スイッチ操作棒の下降動作によって下向屈曲し、その下方に位置する前記異常検出スイッチのスイッチ操作レバーをオフ動作させ、前記回動施錠片の解錠動作によって上昇動作が許容された場合に、該スイッチ操作棒を上昇させ、かつ該スイッチ操作レバーのオン動作を許容すべく原形状に復帰する復帰バネと、
で構成した請求項１又は２の引戸施錠補完装置。
【請求項４】
前記ブザーを駆動する電源回路中に、前記異常検出スイッチを挿入した間接接続回路と何も挿入していない直接接続回路とを並列に構成し、該間接接続回路及び直接接続回路の一方の端部と該電源回路の主回路との間に管理用切換スイッチを挿入し、
該管理用切換スイッチを、スイッチケースに配設し、そのピン挿入口に管理ピンを挿入すると、スイッチ操作レバーがそれによってスイッチング動作し、該管理ピンの挿入途中では、該直接接続回路に切り換えて該電源回路を閉成し、これによって該ブザーを発音駆動し、更に該管理ピンが最奥まで進入すると、該間接接続回路に切り換え、該異常検出スイッチが異常を検出した場合に該電源回路を閉成することができるようにし、かつ該管理ピンをピン挿入口に挿入していない状態では、該直接接続回路及び該間接接続回路のいずれも主回路と接続しないように構成した請求項１、２又は３の引戸施錠補完装置。
【考案の詳細な説明】
【技術分野】
【０００１】
本考案は、盗難防止を目的とし、設置が簡便で、しかも既存の引戸の施錠のバックアップを確実に行なうことができる引戸施錠補完装置に関するものである。
【背景技術】
【０００２】
引戸施錠の補完手段としては、引戸内面の溝に填め込む楔方式のものが従来からよく用いられている。引戸は、例えば、各１枚の内戸と外戸で構成されており、引戸を閉じた状態で、楔部材を内戸用の溝内に外戸をサッシ枠に圧迫する形で設置することにより、引戸に設置されている回動施錠片（回転型のレバー）と固定片（フック）とで構成してある施錠手段に加えて、外戸の開放（移動）をロックできる。また、このとき、内戸についても楔部材が内戸用の溝内に設置されているため、その移動は不可能になる。したがって、引戸が各１枚の内戸と外戸の場合、この種の引戸施錠補完装置では１箇所に設置するだけで内戸と外戸の両方の開放をロックできる。
【０００３】
しかし、このような従来の引戸施錠補完装置による施錠の補完は、引戸毎に元来の施錠とは別に行なわねばならず手間がかかる上、引戸毎に、逐一、確認の必要もあるため、装置は簡単でも実際の使用は、特に引戸が複数で広範囲にわたると、面倒である。
【０００４】
これらの問題を解決するため、既存の施錠手段による施錠と連動した施錠の補完及び補完状況の集中的監視を可能とする引戸施錠補完装置（特許文献１）を本件出願人は提案している。
【０００５】
これは、家屋開口部の開閉手段である外戸と内戸の内、外戸の枠の中央側に配した固定片と内戸の枠の中央側に回動自在に配した回動施錠片とからなる引戸施錠手段による施錠を補完する引戸施錠補完装置であって、上記外戸の枠の内側上面に固設するストッパ片と、上記内戸の枠の中央側端面上部に回動可能に設置する回動ロック片であって、その一端を、上記ストッパ片の端部に、上記外戸の開側への移動が不可能なように、係止させ、又はその係止を解除させるべく、その回動状態を操作し得る回動ロック片と、前記回動施錠片の施錠動作に連動して上記回動ロック片を前記ストッパ片に係止させるべく動作する連携手段と、警報用のブザーと、前記回動ロック片の係止解除動作に連動して上記ブザーを駆動する電源回路を閉じるべく動作するように構成された異常検出スイッチと、で構成した引戸施錠補完装置である。
【０００６】
【特許文献１】登録実用新案第３０８６１４８号公報
【考案の開示】
【考案が解決しようとする課題】
【０００７】
本考案は、以上の特許文献１の引戸施錠補完装置をより簡易化し、動作の確実性を確保し、加えて異常検出部の電源電池の放電状態を使用時に簡易にチェック可能にすることを解決の課題とするものである。
【課題を解決するための手段】
【０００８】
本考案の１は、家屋開口部の開閉手段である外戸と内戸の内、外戸の枠の中央側側辺に配した固定片と内戸の枠の中央側側辺に回動自在に配した回動施錠片とからなる引戸施錠手段による施錠を補完する引戸施錠補完装置であって、
前記外戸の枠の内側下辺に固設するストッパ片と、
前記内戸の枠の中央側側辺の端面下部に、その外戸寄り上部に配した軸を中心として、偏心回動可能に設置する回動ロック片であって、該軸より内側の部位に加えられた下降操作力によって、その下端を、前記ストッパ片の端部に、前記外戸の開側への移動が不可能なように、係止させ、又は該軸より内側の部位に加えられた上昇操作力によって、その係止を解除させるべく、その回動状態を操作し得る回動ロック片と、
前記回動施錠片の施錠動作に連動して前記回動ロック片を前記ストッパ片に係止させるべく、該回動ロック片の前記軸より内側上部を下降操作し、該回動施錠片の解錠動作に連動して上昇復帰し、該ストッパ片の係止状態を維持している該回動ロック片の係止解除操作を可能にする連携手段と、
前記回動ロック片に付設した係止解除操作のための操作レバーと、
警報用のブザーと、
前記回動施錠片の解錠動作に連動して前記ブザーを駆動する電源回路を閉じるべく動作するように構成した異常検出スイッチと、
で構成した引戸施錠補完装置である。
【０００９】
本考案の２は、本考案の１の引戸施錠補完装置に於いて、前記回動ロック片を、前記軸を介してブラケット部材に回動自在に取り付け、かつ該ブラケット部材を介して前記内戸の枠の中央側側辺の端面下部に固設し、更に該回動ロック片の両側には該ブラケット部材の各対応する側の面との間に該軸に外装状態のＯリングを介在させたものである。
【００１０】
本考案の３は、本考案の１又は２の引戸施錠補完装置に於いて、前記連携手段を、
前記回動施錠片の施錠動作によって押し下げられる連携棒であって、長さ調節可能に構成した連携棒と、
該連携棒を昇降自在に前記内戸の中央側側辺の端面に配置するガイド筒材と、
該連携棒の下端に配した取付片と、
該取付片の下端から、前記回動ロック片の前記軸より内側寄りの上端に向けて、該部位を下降操作させるべく垂下させた操作棒と、
該取付片の下端から後記復帰バネ上に垂下させたスイッチ操作棒であって、前記回動施錠片の解錠動作によって上昇動作が許容された場合に、該復帰バネの作用力を受けて上昇復帰するための復帰棒を兼ねたスイッチ操作棒と、
前記スイッチ操作棒の下降動作によって下向屈曲し、その下方に位置する前記異常検出スイッチのスイッチ操作レバーをオフ動作させ、前記回動施錠片の解錠動作によって上昇動作が許容された場合に、該スイッチ操作棒を上昇させ、かつ該スイッチ操作レバーのオン動作を許容すべく原形状に復帰する復帰バネと、
で構成したものである。
【００１１】
本考案の４は、本考案の１、２又は３の引戸施錠補完装置に於いて、前記ブザーを駆動する電源回路中に、前記異常検出スイッチを挿入した間接接続回路と何も挿入していない直接接続回路とを並列に構成し、該間接接続回路及び直接接続回路の一方の端部と該電源回路の主回路との間に管理用切換スイッチを挿入し、
該管理用切換スイッチを、スイッチケースに配設し、そのピン挿入口に管理ピンを挿入すると、スイッチ操作レバーがそれによってスイッチング動作し、該管理ピンの挿入途中では、該直接接続回路に切り換えて該電源回路を閉成し、これによって該ブザーを発音駆動し、更に該管理ピンが最奥まで進入すると、該間接接続回路に切り換え、該異常検出スイッチが異常を検出した場合に該電源回路を閉成することができるようにし、かつ該管理ピンをピン挿入口に挿入していない状態では、該直接接続回路及び該間接接続回路のいずれも主回路と接続しないように構成したものである。
【考案の効果】
【００１２】
本考案の１の引戸施錠補完装置によれば、既設の施錠手段の施錠操作をすることで、これに連動して補完ロック操作を行うことができるので、その操作に特別の手間が掛からず非常に便利である。またこうしてセットしたロック手段により、既設の施錠手段の施錠が破られた場合であっても、容易に侵入できないように、引戸のロック状態を維持し、既設の施錠を確実に補完することができる。併せて既設の施錠手段が破られた場合は、それをブザーによる警報音で家人等の管理者に報知することができるため、適切な対処をすることができるし、この警報音で侵入しようとする者のその意思を萎えさせることもできる。
【００１３】
本考案の２の引戸施錠補完装置によれば、その回動ロック片はＯリングにより制動が掛かっているので、自重程度では容易に動かず、その対応する部位を押し下げていた連携手段が上昇したとしても、それに伴って自ら動いてしまうというようなことはない。そのため既設の施錠手段が破られて該連携手段が上昇動作しても、該回動ロック片はストッパ片に対する係止状態を確実に維持し、施錠補完動作を継続することができる。
【００１４】
本考案の３の引戸施錠補完装置によれば、その連携棒が長さ調節可能なものであるため、引戸に於ける既設の施錠手段の高さ方向の設置位置が種々のものであっても容易に対応することができる。また動作が確実であり、既設の施錠手段の施錠動作に連動して確実に前記回動ロック片の回動ロック動作を行わせることができる。更に又施錠手段の解錠動作が行われた場合、或いは施錠が破られた場合には、該回動ロック片のロック状態に影響を与えることなく、解錠動作に連動する動作を行い、他方、これによって確実に異常検出スイッチの検出動作を行わせることができる。なお、該異常検出スイッチのセット動作（接点を開く動作）は、既設の施錠手段の施錠動作に連動して確実に行われるようになっている。
【００１５】
本考案の４の引戸施錠補完装置によれば、管理ピンをピン挿入口に挿入して管理用切換スイッチをオンにしておくことにより、前記異常検出スイッチの動作を検出モードに設定し、該管理ピンを抜いてオフにしておくことにより、非検出モードに容易に設定することができ、後者のモードに設定しておくことにより、ロック解除時の無用のブザー音の発生を回避することができる。更に、ピン挿入口に管理ピンを挿入する際に、その途中で、一時的に、前記異常検出スイッチを挿入した間接接続回路と並列の直接接続回路で電源回路を閉じ、ブザーを発音駆動させることにより、電源電池の消耗状態をチェックすることも可能となっている。別に集中管理板を用意し、この引戸施錠補完装置をセットしない場合には、該集中管理板に、全引戸に於ける管理ピンに対応する番号を付して並べておくこととすることにより、全引戸に於けるこの装置のセット又は非セット状態を一カ所で管理できるので便利である。
【考案を実施するための最良の形態】
【００１６】
本考案を実施する最良の形態を図面を参照しつつ以下に述べる実施例により説明する。
【００１７】
図１に示すように、この実施例の引戸施錠補完装置は、各１枚の外戸１と内戸２とで構成されている引戸に適用するものである。
【００１８】
この実施例の引戸施錠補完装置は、図１〜図３に示すように、基本的に、通常の引戸に設置されている施錠手段の内、内戸２側に位置する回動施錠片３による施錠操作と連動して、補完的に新たな別の回動ロック片４によるロックが可能なように構成したものである。即ち、内戸２の枠の中央側側辺の下部端面に設置する回動ロック片４の上端内側寄りの部位が、前記回動施錠片３の回動施錠操作により、連携手段５を介して下降させられ、該回動ロック片４の下部外側寄りの部位が、外戸１の枠の下辺の内面に固設するストッパ片６と外戸１の枠の中央側側辺の下部内面とに挟まれる空間に進入し、引戸がロックされるようになっている。
【００１９】
図２及び図３に示すように、前記回動ロック片４は、ほぼ四辺形板状の部材であり、内戸の中央側側辺の端面に該引戸の移動方向に直交する向きで取り付ける。該回動ロック片４は、ブラケット部材７中に装入し、軸４ａにより該ブラケット部材７に回動自在に取り付け、該ブラケット部材７を介して、内戸の中央側側面の端面に上記状態に取り付ける。なお該回動ロック片４は、その外側上部付近を前記軸４ａで該ブラケット部材７に回動自在に取り付ける。該回動ロック片４の一方の側面と該ブラケット部材７の対応する内面との間には、該軸４ａに外装したＯリング４ｂを介在させ、該回動ロック片４の他方の側面と該ブラケット部材７の対応する他の面との間には、該軸４ａに外装したワッシャー４ｃを介在させ、これらによって制動作用を働かせることとし、該回動ロック片４が外力を受けることなく、自由に回動することがないようにする。また該回動ロック片４は、その内側上部の角部にロック解除操作用のレバー４ｄを内側斜め上方に向けて突設しておくものとする。
【００２０】
前記ストッパ片６は、先に述べ、かつ図１〜図３に示すように、直方体状のブロック部材であり、外戸１の枠の下辺内面に固設する。該ストッパ片６の、閉止状態に於ける内戸２側を向いた面は、該外戸１の枠の中央側側辺の内面との間に、少なくとも前記回動ロック片４の厚みを僅かに越える隙間を残しておくものとする。
【００２１】
また、図１及び図３に示すように、連携手段５を該回動ロック片４の上方に配設する。前記内戸２の枠の中央側側辺の端面に角筒状のガイド筒材５ａを固設し、これに連携棒５ｂを昇降自在に挿入する。該連携棒５ｂは、中央の軸部材を上下の部材に対して正回転又は逆回転させることにより伸縮させることのできるターンバックル状部材に構成したものである。該ガイド筒材５ａの上端から突出する連携棒５ｂの上端には、既存の回動施錠片３の施錠時にその先端部が下降動作するのを受ける受け部５ｂ１を構成し、他方、該ガイド筒材５ａの下端から垂下突出する連携棒５ｂの下端には、後記操作棒５ｄ１及び後記スイッチ操作棒５ｄ２を垂下状態に支持する取付片５ｃを構成する。
【００２２】
該取付片５ｃは、前記のように、前記連携棒５ｂの下端に固設し、若干内側（室内側）に延長した部材であり、前記操作棒５ｄ１を該取付片５ｃの下端で該連携棒５ｂの中央直下付近の部位から垂下させ、前記スイッチ操作棒５ｄ２を該取付片５ｃの内側寄りの部位から垂下させる。該操作棒５ｄ１は、非ロック状態で、特に図３(a)に示すように、前記回動ロック片４の上辺の前記軸４ａより内側の部位にその下端が当接する位置関係及び寸法の棒状部材に構成する。また該スイッチ操作棒５ｄ２は、非ロック状態で、特に図３(a)、(b)に示すように、後記復帰バネ８の先端近傍にその下端が当接する位置関係及び寸法の棒状部材に構成する。
【００２３】
なお該スイッチ操作棒５ｄ２は、前記回動施錠片３の解錠動作によって上昇動作が許容された場合に、該復帰バネ８の作用力を受けて上昇復帰するための復帰棒を兼ねる部材である。
【００２４】
また該復帰バネ８は、図１及び図３(b)に示すように、外戸１側の下部に対応するサッシの下辺内面に固設する異常検出スイッチ９の筒状ケース１０の先端上部から水平方向に延長した帯状弾性部材であり、図３(b)に１点鎖線で示すように、前記スイッチ操作棒５ｄ２の下降動作によって下向屈曲し、これによってその下方に位置する前記異常検出スイッチ９のスイッチ操作レバー９ａをオフ動作させ、前記回動施錠片３の解錠動作によって前記連携棒５ｂの上昇動作が許容された場合に、該スイッチ操作棒５ｄ２を押し上げて上昇させ、同時に該スイッチ操作レバー９ａのオン動作を許容すべく、原形状、即ち、直線状態に復帰するように構成した部材である。
【００２５】
前記異常検出スイッチ９は、図１及び図３(a)、(b)に示すように、前記筒状ケース１０中に装入し、そのスイッチ操作レバー９ａの先端を該筒状ケース１０の先端から水平に延びた復帰バネ８の下面に当接状態に配する。該スイッチ操作レバー９ａのこの状態で該異常検出スイッチ９はオフ状態となるものを使用する。
【００２６】
前記異常検出スイッチ９は、図１に示すように、別途設置するブザー１１を駆動する電源回路１２の途中に挿入するもので、対応する後記管理用切換スイッチ１３をオフ側に切り換えない状態で、前記回動施錠片３が解錠されると、上記のように、復帰バネ８が水平状態に復帰してスイッチ操作レバー９ａが上昇し、これによって該異常検出スイッチ９の接点が閉じ、更にこれによって該電源回路１２が閉じてブザー１１が警報音を発することとなる。
【００２７】
該電源回路１２は、電源電池１４及び上記ブザー１１を共通の主回路にして、建物内の開口部に配された引戸に設置される引戸施錠補完装置の数だけ、他の部分が相互に並列状態となるように構成されるものであり、個々のそれは、上記共通の主回路から延長する二つの並列回路と、その一端部で、上記主回路にいずれかの並列回路を接続するか又はいずれも接続しないかを切り換える管理用切換スイッチ１５とで構成したものである。
【００２８】
上記二つの並列回路の一方が前記異常検出スイッチ９を挿入した間接接続回路１２ａであり、他方が何も挿入していない直接接続回路１２ｂである。
【００２９】
該管理用切換スイッチ１５はスイッチケース１６に内装してあり、図４に示すように、ピン挿入口１６ａに管理ピン１７を挿入すると、スイッチ操作レバー１５ａがそれによってスイッチング動作するようになっている。該管理用切換スイッチ１５は、図４に示すように、管理ピン１７が挿入されていない状態では、そのスイッチ操作レバー１５ａがピン挿入口１６ａ側に傾いており、管理ピン１７が挿入されると、これに押されて、その途中で傾きのない状態になり、更に該管理ピン１７が最後まで挿入されると、反対側に傾いた状態になる。なお該スイッチケース１６は、引戸の設置してあるサッシの一部に固設しておくものとする。
【００３０】
該管理用切換スイッチ１５は、そのスイッチ操作レバー１５ａがピン挿入口１６ａ側に傾いている時点では、図１に示すように、間接接続回路１２ａ及び直接接続回路１２ｂのいずれもが主回路に接続していない状態であり、そのスイッチ操作レバー１５ａが傾きのない状態になった時点では、直接接続回路１２ｂが主回路に接続し、この場合は、前記ブザー１１に電源が投入され警報音を発することになる。またそのスイッチ操作レバー１５ａが前記ピン挿入口１６ａと反対側に傾いた時点では、前記間接接続回路１２ａが主回路と接続し、前記異常検出スイッチ９が異常を検出して閉じた場合にのみ、該ブザー１１に電源が投入され警報音が発せられることになる。
【００３１】
それ故、既設の回動施錠片３を施錠操作して前記異常検出スイッチ９をオフ状態にセットした上で、スイッチケース１６のピン挿入口１６ａに管理ピン１７を挿入して、該異常検出スイッチ９の挿入してある間接接続回路１２ａを前記主回路に接続しようとすると、その途中で、一時的に、必ず直接接続回路１２ｂと主回路との接続が行われ、ブザー１１による警報音が発せられることとなり、電源電池１４の消耗状態をチェックすることができる。
【００３２】
図５に示すように、別に集中管理板１９を用意する。この集中管理板１９は、全引戸と同数で各引戸に付した引戸番号に各々対応する番号を持った同数の保管孔１９ａを配列開口してあり、いずれかの引戸の引戸施錠補完装置をセットしていない場合には、該引戸施錠補完装置の管理ピン１７を該集中管理板１９の当該の引戸の番号に対応する番号の保管孔１９ａに挿入して保管しておくようにする。各番号に配置された管理ピン１７の有無によって、全引戸に於けるこの装置のセット又は非セット状態を一カ所で管理できることになる。
【００３３】
なお図中、１８は外戸の枠の中央側側辺の内面に固設する固定片であり、前記既設の回動施錠片３を施錠操作すると、これに係止して、引戸の閉止状態を固定するために使用する既設の設備の一部である。
【００３４】
したがってこの実施例の引戸施錠補完装置によれば、既存の施錠手段による施錠と連動した施錠の補完及び補完状況の集中的管理が行なえるものである。
【００３５】
この実施例の引戸施錠補完装置を動作させる場合は、対象の引戸に於いて、図３に示すように、既存の回動施錠片３を矢印ａの方向に施錠回動させ、これを前記固定片１８に係止させると、これによって前記連携手段５の連携棒５ｂが押し下げられ、各々その下部の操作棒５ｄ１が前記回動ロック片４の内側上部を押し下げ、前記スイッチ操作棒５ｄ２が前記復帰バネ８を押し下げるに至る。
【００３６】
該操作棒５ｄ１の上記動作により、該回動ロック片４は前記軸４ａ回りに回動し、その下部外側寄りの部位が外方に移動し、図３(a)に一点鎖線で示すように、ストッパ片６と外戸１及び内戸２の枠の中央側側辺との間に進入し、ロック状態となる。
【００３７】
他方、前記スイッチ操作棒の前記動作により、前記復帰バネ８が押し下げられ、図３(b)に一点鎖線で示すように、下向き屈曲させられ、その下方に配された前記異常検出スイッチ９のスイッチ操作レバー９ａを、同図に一点鎖線で示すように、下降回動させ、該異常検出スイッチ９を開成させる。
【００３８】
こうして既設の施錠手段で引戸のロックを行うと、これに連動して、この実施例の引戸施錠補完装置がセットされ、そのロックを補完する状態となる。また、以上のように、前記異常検出スイッチ９がオフ状態にセットされる。この後、前記集中管理板１９から該被きどの番号と対応する番号の管理ピン１７を取り出して、前記スイッチケース１６のピン挿入口１６ａにその管理ピン１７を挿入する。これによってその内部の管理用切換スイッチ１５が、前記異常検出スイッチ９の挿入してある間接接続回路１２ａを前記電源回路１２の主回路に接続することとなり、該異常検出スイッチ９が異常を検出すると、該電源回路１２が閉じて前記ブザー１１が警報音を発することができるようになる。
【００３９】
以上のように、管理ピン１７を挿入する過程で、前記したように、一時的に、必ず直接接続回路１２ｂと主回路との接続が行われ、ブザー１１による警報音が発せられることとなり、この警報音の発生によって電源電池１４の消耗状態をチェックすることができる。警報音が発生しないか、不十分であった場合には、電源電池１４の交換が必要であることが分かる。
【００４０】
またこうして引戸番号に対応する管理ピン１７を集中管理板１９の対応する番号の保管孔１９ａから取り出して該当する引戸施錠補完装置のスイッチケース１６のピン挿入口１６ａに挿入しておくこととしたため、該集中管理板１９の残管理ピン１７の番号をチェックすることで、該当する引戸番号の引戸がまだ施錠操作を行っていないことが確認できることになる。
【００４１】
以上により、引戸施錠補完装置のセット操作は完了である。既存の回動施錠片３の施錠操作で殆どが完了し、そのために特別に行うべき操作は、集中管理板１９から該当する管理ピン１７を取り出してスイッチケース１６にセットすることだけであり、極めて簡易に操作できるものである。また全引戸にこのセット操作をしたか否かは、前記のように、集中管理板１９の各引戸番号の下の保管孔１９ａに管理ピン１７が保管されているか否かだけで容易に判断できる。
【００４２】
以上の状態に於いて、引戸のガラス等が破られて、前記回動施錠片３が解錠操作されたとしても、該回動施錠片３と固定片１８との係止状態が解除されるのみであり、前記回動ロック片４のロック状態は解除されない。即ち、該回動施錠片３の解錠操作に伴い前記連携手段５の連携棒５ｂはその上昇動作が許容され、前記スイッチ操作棒５ｄ２及び取付片５ｃを介してその上に載った状態となっている前記復帰バネ８の作用により、押し上げられ、上昇することとなるが、前記回動ロック片４は、それにも拘わらず、前記Ｏリング４ｂ及びワッシャー４ｃの制動作用により、ロック状態を維持する。それ故、既設の施錠手段が破られても、この引戸施錠補完装置によるロック状態が維持されるのでより防犯効果を高めることができる。
【００４３】
他方、以上のように、既設の施錠手段が破られ、前記連携棒５ｂの上昇が許容され、図３(b)に実線で示すように、前記復帰バネ８が水平状態に復帰すると、これに伴って前記異常検出スイッチ９のスイッチ操作レバー９ａも上昇回動動作して、該異常検出スイッチ９をオンに切り換えることとなる。そしてこれによって電源回路１２が閉じられ、前記ブザー１１が警報音を発し、家人等に異常を知らせることになる。またこの警報音により、侵入者の侵入の意思を萎えさせる効果をも生じさせるものである。
【００４４】
この実施例の引戸施錠補完装置の動作を停止させる場合は、直ちに前記回動施錠片３のロック状態を解除すると、前記異常検出スイッチ９がオンとなって前記ブザー１１に警報音を発生させてしまうので、まず初めに、前記スイッチケース１６のピン挿入口１６ａから管理ピン１７を抜き取って、これを前記集中管理板１９の対応する引戸番号の保管孔１９ａに保管する。即ち、図４に一点鎖線で示すように、スイッチケース１６から管理ピン１７を抜き取って、管理用切換スイッチ１５のスイッチ切換レバー１５ａをピン挿入孔１６ａ側に傾け、該管理用切換スイッチ１５をオフにする。
【００４５】
その後、前記回動施錠片３を解錠動作させる。この解錠操作は、該回動施錠片３を、図３(a)中に矢印ａに示したのと逆方向に回動させることで行う。このように操作しても、前記回動ロック片４は、同図に一点鎖線で示し、先に述べたように、ロック状態を維持しているので、該回動ロック片４の内側上角部に突出させた前記レバー４ｄを操作して、同図に実線で示すように解除回動させる。
【００４６】
こうして引戸施錠補完装置の動作が停止することになり、引き戸を開けるのも閉めるのも全く自由になる。
【図面の簡単な説明】
【００４７】
【図１】引戸に設置した一実施例の引戸施錠補完装置を室内側から見た状態の概略正面説明図。
【図２】(a)は、一実施例の引戸施錠補完装置の回動ロック片、ストッパ片及び異常検出スイッチの引戸に於ける位置関係及び向きを示す概略説明図、(b)は(a)の拡大図。
【図３】(a)は引戸に付属している施錠装置と連動して動作する一実施例の引戸施錠補完装置のアンロック時の状態を、図１の左側から右方向に向かって見た説明図、(b)は(a)の下部を右方向から見た一部断面説明図。
【図４】スイッチケースに装入された管理用切換スイッチの構成を示す概略断面図。
【図５】管理用切換スイッチの管理ピンを保持する集中管理板の正面概略図。
【符号の説明】
【００４８】
１    外戸
２    内戸
３    回動施錠片
４    回動ロック片
４ａ  軸
４ｂ  Ｏリング
４ｃ  ワッシャー
４ｄ  レバー
５    連携手段
５ａ  ガイド筒材
５ｂ  連携棒
５ｂ１  受け部
５ｃ  取付片
５ｄ１  操作棒
５ｄ２  スイッチ操作棒
６    ストッパ片
７    ブラケット部材
８    復帰バネ
９    異常検出スイッチ
９ａ  スイッチ操作レバー
１０  筒状ケース
１１  ブザー
１２  電源回路
１２ａ  間接接続回路
１２ｂ  直接接続回路
１３  管理用切換スイッチ
１４  電源電池
１５  管理用切換スイッチ
１５ａ  スイッチ操作レバー
１６  スイッチケース
１６ａ  ピン挿入口
１７  管理ピン
１８  固定片
１９  集中管理板
１９ａ  保管孔
ａ    矢印
【図１】
0003111321.tif 000003
【図２】
0003111321.tif 000004
【図３】
0003111321.tif 000005
【図４】
0003111321.tif 000006
【図５】
0003111321.tif 000007